(57)【要約】【課題】計量対象となっている飲食物の摂取に関しての情報提供を、その飲食物の購買者の事情を考慮して行う。【解決手段】実施形態の計量装置は、重量計、判定手段、識別手段、取得手段及び通知処理手段を備える。判定手段は、重量計により計測された飲食物の重量に基づき、予め定められた成分及びカロリーの少なくとも一方として定められた着目項目についての飲食物の飲食に伴う摂取量を判定する。識別手段は、飲食物の購買者を識別する。取得手段は、識別手段により識別された購買者が過去の予め定められた期間内に購買した飲食物の飲食に伴う着目項目についての摂取量を取得する。通知処理手段は、取得手段により取得された摂取量及び判定手段により判定された摂取量の合計と予め定められた基準量とが予め定められた関係にある場合に、その旨を購買者に通知するための通知処理を行う。【選択図】      図４
2019219322.tif 000002
【特許請求の範囲】
【請求項１】
重量を計測する重量計と、
前記重量計により計測された飲食物の重量に基づき、予め定められた成分及びカロリーの少なくとも一方として定められた着目項目についての前記飲食物の飲食に伴う摂取量を判定する判定手段と、
前記飲食物の購買者を識別する識別手段と、
前記識別手段により識別された前記購買者が過去の予め定められた期間内に購買した飲食物の飲食に伴う前記着目項目についての摂取量を取得する取得手段と、
前記取得手段により取得された摂取量及び前記判定手段により判定された摂取量の合計と予め定められた基準量とが予め定められた関係にある場合に、その旨を前記購買者に通知するための通知処理を行う通知処理手段と、
を具備する計量装置。
【請求項２】
重量を計測する重量計と、
前記重量計により重量を計測済みの飲食物のリストを、当該計測済みの重量を含んで生成する生成手段と、
前記生成手段により生成されたリストに含まれた飲食物それぞれの重量に基づき、予め定められた成分及びカロリーの少なくとも一方として定められた着目項目についての前記リストに含まれた飲食物の飲食に伴う摂取量を判定する判定手段と、
前記飲食物の購買者を識別する識別手段と、
前記識別手段により識別された前記購買者が過去の予め定められた期間内に購買した飲食物の飲食に伴う前記着目項目についての摂取量を取得する取得手段と、
前記取得手段により取得された摂取量及び前記判定手段により判定された摂取量の合計と予め定められた基準量とが予め定められた関係にある場合に、その旨を前記購買者に通知するための通知処理を行う通知処理手段と、
を具備する計量装置。
【請求項３】
記憶媒体に記憶された識別コードを読み取る読取手段をさらに備え、
前記識別手段は、前記読取手段により読み取られた前記識別コードにより識別される者として前記購買者を識別する、
請求項１又は請求項２に記載の計量装置。
【請求項４】
重量を計測する重量計を備えた計量装置を制御するコンピュータを、
前記重量計により計測された飲食物の重量に基づき、予め定められた成分及びカロリーの少なくとも一方として定められた着目項目についての前記飲食物の飲食に伴う摂取量を判定する判定手段と、
前記飲食物の購買者を識別する識別手段と、
前記識別手段により識別された前記購買者が過去の予め定められた期間内に購買した飲食物の飲食に伴う前記着目項目についての摂取量を取得する取得手段と、
前記取得手段により取得された摂取量及び前記判定手段により判定された摂取量の合計と予め定められた基準量とが予め定められた関係にある場合に、その旨を前記購買者に通知するための通知処理を行う通知処理手段と、
して機能させるための情報処理プログラム。
【請求項５】
重量を計測する重量計を備えた計量装置を制御するコンピュータを、
前記重量計により重量を計測済みの飲食物のリストを、当該計測済みの重量を含んで生成する生成手段と、
前記生成手段により生成されたリストに含まれた飲食物それぞれの重量に基づき、予め定められた成分及びカロリーの少なくとも一方として定められた着目項目についての前記リストに含まれた飲食物の飲食に伴う摂取量を判定する判定手段と、
前記飲食物の購買者を識別する識別手段と、
前記識別手段により識別された前記購買者が過去の予め定められた期間内に購買した飲食物の飲食に伴う前記着目項目についての摂取量を取得する取得手段と、
前記取得手段により取得された摂取量及び前記判定手段により判定された摂取量の合計と予め定められた基準量とが予め定められた関係にある場合に、その旨を前記購買者に通知するための通知処理を行う通知処理手段と、
して機能させるための情報処理プログラム。
【発明の詳細な説明】
【技術分野】
【０００１】
本発明の実施形態は、計量装置及びその制御のための情報処理プログラムに関する。
【背景技術】
【０００２】
購買者が購入しようとする任意の量の飲食物を計量し、その代金を計算する計量装置は知られている。そしてこの種の計量装置において、摂取カロリーなどの代金以外の情報を求め、当該情報を購買者に対して提供することも考えられている。
しかしながら、例えばある成分についての摂取に関する購買者毎の事情を考慮した情報提供は、計量装置においては行われていなかった。
このような事情から、計量対象となっている飲食物の摂取に関しての情報提供を、その飲食物の購買者の事情を考慮して行うことができることが望まれていた。
【先行技術文献】
【特許文献】
【０００３】
【特許文献１】特開２０１３−１４００９２号公報
【発明の概要】
【発明が解決しようとする課題】
【０００４】
本発明が解決しようとする課題は、計量対象となっている飲食物の摂取に関しての情報提供を、その飲食物の購買者の事情を考慮して行うことができる計量装置及びその制御のための情報処理プログラムを提供することである。
【課題を解決するための手段】
【０００５】
実施形態の計量装置は、重量計、判定手段、識別手段、取得手段及び通知処理手段を備える。判定手段は、重量計により計測された飲食物の重量に基づき、予め定められた成分及びカロリーの少なくとも一方として定められた着目項目についての飲食物の飲食に伴う摂取量を判定する。識別手段は、飲食物の購買者を識別する。取得手段は、識別手段により識別された購買者が過去の予め定められた期間内に購買した飲食物の飲食に伴う着目項目についての摂取量を取得する。通知処理手段は、取得手段により取得された摂取量及び判定手段により判定された摂取量の合計と予め定められた基準量とが予め定められた関係にある場合に、その旨を購買者に通知するための通知処理を行う。
【図面の簡単な説明】
【０００６】
【図１】第１の実施形態に係る計量装置の要部回路構成を示すブロック図。
【図２】第１の実施形態に係る計量装置の外観を示す斜視図。
【図３】図１に示すプロセッサによる第１の実施の形態における情報処理のフローチャート。
【図４】図１に示すプロセッサによる第１の実施の形態における情報処理のフローチャート。
【図５】第１の結果画面の一例を示す図。
【図６】第２の結果画面の一例を示す図。
【図７】図１に示すプロセッサによる第２の実施の形態における情報処理のフローチャート。
【発明を実施するための形態】
【０００７】
以下、実施の形態について図面を用いて説明する。
（第１の実施形態）
第１の実施の形態は、スーパーマーケットなどの惣菜売場において惣菜の量り売りを行うのに好適な計量装置に関する。なお、以下において「惣菜」とは、惣菜売場において量り売りされ得る全ての飲食物を含むこととする。つまり、例えば「白飯」が「惣菜」の１つであってもよい。
【０００８】
図１は第１の実施形態に係る計量装置１０の要部回路構成を示すブロック図である。図２は計量装置１０の外観を示す斜視図である。なお、図１及び図２において、同一の要素については同一の符号を付している。
図１に示すように計量装置１０は、プロセッサ１、記憶部２、タッチパネル３、キーパッド４、近接通信部５、ラベルプリンタ６、重量計７、通信インタフェース８及び伝送路９を含む。
プロセッサ１、記憶部２、近接通信部５、ラベルプリンタ６、重量計７及び通信インタフェース８は、図２に示す筐体１００の内部に収容される。タッチパネル３及びキーパッド４は、図２に示す操作パネル２００に取り付けられる。
【０００９】
プロセッサ１は、計量装置１０を制御するための情報処理を実行するためのコンピュータを、記憶部２とともに構成する。プロセッサ１は、上記コンピュータの中枢部分に相当する。プロセッサ１は、オペレーティングシステム、ミドルウェア及びアプリケーションプログラムなどの情報処理プログラムに従った情報処理を実行することで、計量装置１０としての各種の機能を実現するべく各部を制御する。
【００１０】
記憶部２は、上記コンピュータの主記憶部分に相当する。記憶部２は、不揮発性のメモリ領域と揮発性のメモリ領域とを含む。記憶部２は、不揮発性のメモリ領域では上記の情報処理プログラムを記憶する。また記憶部２は、プロセッサ１が各部を制御するための処理を実行する上で必要なデータを不揮発性又は揮発性のメモリ領域で記憶する場合もある。記憶部２は、揮発性のメモリ領域を、プロセッサ１によってデータが適宜書き換えられるワークエリアとして使用する。記憶部２は、上記コンピュータの補助記憶部分に相当する記憶デバイスを含んでもよい。当該記憶デバイスとしては、例えばＥＥＰＲＯＭ（electric erasable programmable read-only memory）、ＨＤＤ（hard disc drive）、ＳＳＤ（solid state drive）、あるいはその他の周知の各種の記憶デバイスなどを適宜に適用できる。記憶デバイスは、プロセッサ１が各種の処理を行う上で使用するデータと、プロセッサ１での処理によって生成されたデータとを保存する。記憶デバイスは、上記の情報処理プログラムを記憶する場合もある。
【００１１】
タッチパネル３は、操作者に対して各種の情報を通知するための各種画面を表示する。タッチパネル３は、上記の画面に対するタッチ操作を入力することにより、操作者による各種の指示を入力する。
キーパッド４は、テンキーを含む複数のキーを配列したものである。キーパッド４は、キー操作を入力することにより、操作者による数値などの各種の指定を入力する。
【００１２】
なお本実施形態においては、タッチパネル３及びキーパッド４は、操作パネル２００に図２１に示すように並べて取り付けられている。操作パネル２００は、タッチパネル３及びキーパッド４の向きを変えられるよう、筐体１００に対する傾きを変更可能なように筐体１００に取り付けられている。
【００１３】
近接通信部５は、筐体１００の上面の一部として設定された通信面１００ａに近接された無線タグに記憶されている情報を無線通信によって読み取る。
ラベルプリンタ６は、代金の金額などを表したラベルを発行する。ラベルは例えば、飲食物を収容する容器に貼り付けられる。ラベルプリンタ６が発行したラベルは、筐体１００に形成された発行口１００ｂを通して筐体１００の外部へと排出される。
重量計７は、筐体１００の外部に配置された秤皿７ａを含む。重量計７は、秤皿７ａに載置された物品の重量を計測する。
【００１４】
通信インタフェース８は、通信ネットワーク２０を介したデータ通信を行う。通信インタフェース８としては、例えばＬＡＮ（local area network）及びインターネットを介したデータ通信のための周知の処理を行うように構成された周知のものを用いることができる。通信インタフェース８の通信対象は、例えばデータサーバ３０である。
伝送路９は、アドレスバス、データバス及び制御信号線等を含み、接続されている各部の間で授受されるデータ及び制御信号を伝送する。
【００１５】
計量装置１０は、後述する情報処理について記述した情報処理プログラムを記憶部２に記憶する。なお、当該情報処理プログラムは、計量装置１０のハードウェアの譲渡の際に記憶部２に記憶されていてもよいし、上記のハードウェアとは別に譲渡されてもよい。後者の場合、情報処理プログラムは、磁気ディスク、光磁気ディスク、光ディスク、半導体メモリなどのようなリムーバブルな記録媒体に記録して、あるいはネットワークを介して譲渡される。後者の場合、情報処理プログラムはバージョンアッププログラムとして提供され、記憶部２に既に記憶されている別の同種の情報処理プログラムに置き換えられるケースが想定される。
【００１６】
データサーバ３０は、商品データベース及び会員データベースを管理する。
商品データベースは、計量装置１０を用いた量り売りの対象商品である飲食物に関する情報の集合である。商品データベースには例えば、飲食物の個々を識別するための商品コードに関連づけて、その商品名、単位重量当たりの価格、消費期限などのラベルに表示すべき各種の情報が含まれる。商品データベースはさらに、アレルゲン、原材料、あるいは栄養素などの成分についての、単位重量の飲食物における含有量を示す。商品データベースはさらに、単位重量の飲食物に含まれるカロリー（熱量）を示す。ただし商品データベースは、成分の含有量及びカロリーのいずれか一方のみを示していてもよい。また商品データベースがどの成分についての含有量を示すかも任意である。
【００１７】
会員データベースは、会員登録済みの購買者に関する情報の集合である。会員データベースには例えば、会員の個々を識別するための会員コードに関連づけて、条件データ及び過去摂取量が含まれる。条件データは、会員に対する情報提供の条件を表す。条件は任意であってよいが、例えば以下のようなものが想定される。
【００１８】
・原材料（××）の目標摂取量は○○ｇ。
・目標摂取カロリーは○○ｋｃａｌ。
・栄養素（××）の目標摂取量は○○ｇ。
なお、以上の条件の具体例において、「○○」は任意の数値として定められる基準量である。「原材料（××）」における「××」は、豚肉、酒などの任意の原材料である。「栄養素（××）」における「××」は、タンパク質、脂質、炭水化物、無機質、ビタミンなどの任意の栄養素である。
【００１９】
過去摂取量は、予め定められた過去の期間に、条件データに示された成分又はカロリーについての会員による摂取量である。なお上記の過去の期間は、例えば当日中の現時点までの期間とすることが想定される。しかしながらこの期間は、例えば計量装置１０の設計者又は管理者により任意に定められてよい。
【００２０】
次に以上のように構成された計量装置１０の動作について説明する。
計量装置１０は、スーパーマーケットの惣菜売場等に設置される。そして計量装置１０は、量り売りの対象となる商品としての惣菜を計量し、その重量に応じた販売価格などを表したラベルを発行する。購買者は、購買しようとする惣菜を、任意の量だけ所定の容器に入れた上で秤皿７ａに乗せ、これにより発行されるラベルを上記の容器に貼り付ける。
【００２１】
購買者は、このような作業の最中に個人向けの情報提供を受けたいならば、事前に会員登録を行っておく。この会員登録は、計量装置１０での情報提供を受けるためのものであってもよいし、例えばポイントサービス、電子レシートサービス、あるいはその他の任意のサービスを受けるためのものを流用してもよい。そして会員登録済みの購買者は、会員コードを近接無線通信により送信するタグを内蔵した会員証を所持していることとする。
購買者は、任意の情報端末を用いてデータサーバ３０にアクセスし、情報提供を受けるための条件を設定しておく。データサーバ３０は、設定された条件を、会員データベースに会員コードに関連づけて含める。
【００２２】
計量装置１０が惣菜を計量してラベルを発行する動作状態にあるとき、プロセッサ１は記憶部２に記憶された前述の情報処理プログラムに従って、以下に説明する情報処理を実行する。
図３及び図４は、プロセッサ１による情報処理のフローチャートである。なお、以下に説明する処理の内容は一例であって、一部の処理の順序の変更、一部の処理の省略、あるいは別の処理の追加などは適宜に可能である。
【００２３】
Ａｃｔ１としてプロセッサ１は、近接通信部５により会員コードが読み取られたか否かを確認する。そしてプロセッサ１は、会員コードが読み取られていないためにＮｏと判定したならば、Ａｃｔ２へと進む。
Ａｃｔ２としてプロセッサ１は、計量の対象となる商品の指定がなされたか否かを確認する。そしてプロセッサ１は、商品の指定がなされていないためにＮｏと判定したならば、Ａｃｔ１へと戻る。
かくしてプロセッサ１はＡｃｔ１及びＡｃｔ２としては、会員コードが読み取られるか、商品が指定されるのを待ち受ける。
【００２４】
さて購買者は、計量装置１０における情報提供を受けたい場合には、商品を指定するのに先立って、会員証を通信面１００ａに近接させる。そうすると、会員証に内蔵されたタグと近接通信部５との間での近接無線通信が開始され、タグが記憶する会員コードが近接通信部５により読み取られる。つまり近接通信部５は、記憶媒体としての会員証に記憶された識別コードである会員コードを読み取る読取手段の一例である。そしてプロセッサ１は、これに応じてＡｃｔ１にてＹｅｓと判定し、Ａｃｔ３へと進む。
Ａｃｔ３としてプロセッサ１は、近接通信部５により読み取られた会員コードを記憶部２に保存する。
【００２５】
Ａｃｔ４としてプロセッサ１は、購買者に関するデータをデータサーバ３０に要求する。プロセッサ１は具体的には、近接通信部５により読み取られた会員コードを含んだ所定の要求データをデータサーバ３０に通信ネットワーク２０を介して送る。データサーバ３０は、要求データに含まれた会員コードに関連づけて会員データベースに含まれている条件データ及び過去摂取量を含んだ応答データを計量装置１０に通信ネットワーク２０を介して送る。この応答データが計量装置１０へと伝送されると、この応答データは通信インタフェース８により受信される。
【００２６】
Ａｃｔ５としてプロセッサ１は、Ａｃｔ４での要求に対する応答がなされたか否かを確認する。そしてプロセッサ１は、応答データが通信インタフェース８により受信されたことに応じてＹｅｓと判定し、Ａｃｔ６へと進む。
Ａｃｔ６としてプロセッサ１は、通信インタフェース８により受信された応答データに含まれた条件データ及び過去摂取量を記憶部２に保存する。
【００２７】
そしてこののちにプロセッサ１は、Ａｃｔ１及びＡｃｔ２の待受状態に戻る。なお、プロセッサ１は、会員コードが会員データベースに含まれていない、あるいはデータサーバ３０が計量装置１０と通信することができない、等の何らかの事情により、予め定められた待受期間内に応答を確認できなかった場合には、Ａｃｔ５にてＮｏと判定する。そしてこの場合にプロセッサ１は、Ａｃｔ６をパスしてＡｃｔ１及びＡｃｔ２の待受状態に戻る。なお、プロセッサ１は、Ａｃｔ３を実行した後に、近接通信部５により改めて会員コードが取得されたために再度Ａｃｔ３へと進むことがある。プロセッサ１はこの場合、新たに読み取られた会員コードと、当該会員コードに関して取得した条件データ及び過去摂取量とをそれぞれ上書き保存する。
【００２８】
以上のようにプロセッサ１は、近接通信部５によって読み取られた会員コードで識別される会員として購買者を識別していることになる。かくして情報処理プログラムに基づく情報処理をプロセッサ１が実行することによって、プロセッサ１を中枢部分とするコンピュータは識別手段として機能する。またプロセッサ１は、上記のように識別した購買者が過去の予め定められた期間内に購買した飲食物の飲食に伴う成分又はカロリーの摂取量である過去摂取量を上記のように取得している。かくして情報処理プログラムに基づく情報処理をプロセッサ１が実行することによって、プロセッサ１を中枢部分とするコンピュータはそのような取得を行う取得手段として機能する。
【００２９】
購買者は、購買しようとする惣菜を秤皿７ａに乗せるのに先立って、どの惣菜を計量対象の商品とするのかを指定するための予め定められた操作を、例えばタッチパネル３又はキーパッド４により行う。具体的には例えば、プロセッサ１は、量り売りの対象となっている惣菜のそれぞれを対応付けた複数のボタンを配列してなるＧＵＩ（graphical user interface）画面をタッチパネル３に表示させておく。そして購買者は、購買しようとする惣菜に対応するボタンにタッチする。そしてプロセッサ１は、このようにして惣菜の指定がなされたならば、Ａｃｔ２にてＹｅｓと判定し、Ａｃｔ７へと進む。なおプロセッサ１は、秤皿７ａに乗せられている惣菜を撮影した画像に基づいて、それがどの惣菜であるのかを情報処理によって認識してもよい。
Ａｃｔ７としてプロセッサ１は、上記のように指定された惣菜の商品コードを判定する。
【００３０】
Ａｃｔ８としてプロセッサ１は、計量が完了するのを待ち受ける。具体的にはプロセッサ１は例えば、重量計での計測値がゼロ以外の値で一定時間に渡り安定した場合に、計量が完了したとしてＹｅｓと判定し、図４中のＡｃｔ９へと進む。なお、以下においては、当該計量完了時の計測値を計測重量と称する。
【００３１】
Ａｃｔ９としてプロセッサ１は、過去摂取量が有るか否かを確認する。プロセッサ１は例えば、Ａｃｔ６により記憶部２に過去摂取量が保存されているか否かを確認する。そしてプロセッサ１は、記憶部２に過去摂取量が保存されているならばＹｅｓと判定し、Ａｃｔ１０へと進む。
【００３２】
Ａｃｔ１０としてプロセッサ１は、総摂取量を算出する。総摂取量は、Ａｃｔ４にて判定した商品コードで識別される惣菜を計測重量だけ摂取する場合における摂取量（以下、今回摂取量と称する）と過去摂取量との合算である。ここで算出する総摂取量は、記憶部２に保存されている条件データが表す条件（以下、適用条件と称する）が成立するか否かの判定に必要な成分又はカロリーに関するものとする。例えばプロセッサ１は、Ａｃｔ４で判定した商品コードに関連づけて商品データベースに含められている成分の含有量及び熱量を、データサーバ３０から取得する。そしてプロセッサ１は、当該取得した含有量及び熱量のうちの、適用条件に含まれる成分又は熱量に関するものに、計測重量を単位重量で除して求まる値を乗じた値として、今回摂取量を算出する。プロセッサ１はさらに具体的には、適用条件に「原材料（豚肉）の目標摂取量は○○ｇ以上。」が含まれるならば、「豚肉」の単位重量当たりの含有量に、［計測重量÷単位重量］として求まる値を乗じることによって、「原材料（豚肉）」の今回摂取量を算出する。そしてプロセッサ１は、この今回摂取量と、記憶部２に保存されている「原材料（豚肉）」に関する過去摂取量との和を求めることで、「原材料（豚肉）」に関する総摂取量を算出する。プロセッサ１は、適用条件に「目標摂取カロリーは○○ｋｃａｌ以上。」が含まれるならば、単位重量当たりのカロリーに、［計測重量÷単位重量］として求まる値を乗じることによって、今回摂取カロリーを算出する。そしてプロセッサ１は、この今回摂取量と、記憶部２に保存されている「カロリー」に関する過去摂取量との和を求めることで、「カロリー」に関する総摂取量を算出する。プロセッサ１は、適用条件に「栄養素（ビタミンＣ）の目標摂取量は○○ｇ以上。」が含まれるならば、「ビタミンＣ」の単位重量当たりの含有量に、［計測重量÷単位重量］として求まる値を乗じることによって、「栄養素（ビタミンＣ）」の今回摂取量を算出する。そしてプロセッサ１は、この今回摂取量と、記憶部２に保存されている「栄養素（ビタミンＣ）」に関する過去摂取量との和を求めることで、「栄養素（ビタミンＣ）」に関する総摂取量を算出する。かくして情報処理プログラムに基づく情報処理をプロセッサ１が実行することによって、プロセッサ１を中枢部分とするコンピュータは判定手段として機能する。なお、上記の例では、「原材料（豚肉）」「カロリー」及び「栄養素（ビタミンＣ）」が、それぞれ着目項目である。
【００３３】
Ａｃｔ１１としてプロセッサ１は、算出した総摂取量により適用条件が成立するか否かを確認する。プロセッサ１は例えば、適用条件に「栄養素（ビタミンＣ）の目標摂取量は○○ｇ以上。」が含まれるならば、栄養素（ビタミンＣ）」の今回摂取量が○○ｇ以上であるか否かを確認する。なおプロセッサ１は、適用条件が複数である場合には、それら複数の適用条件のそれぞれについて成立するか否かを確認する。そしてプロセッサ１は、適用条件の全てが成立するならばＹｅｓと判定し、Ａｃｔ１２へと進む。
【００３４】
Ａｃｔ１２としてプロセッサ１は、第１の結果画面をタッチパネル３に表示させる。第１の結果画面は、計量の結果を表し、適用条件に関する通知を表さない画面である。
図５は第１の結果画面ＳＣ１の一例を示す図である。
第１の結果画面ＳＣ１は、表示エリアＡＲ１，ＡＲ２，ＡＲ３，ＡＲ４，ＡＲ５及びボタンＢＯ１をそれぞれ含む。
【００３５】
表示エリアＡＲ１は、商品名を表示するためのエリアである。表示エリアＡＲ２は、単位重量当りの価格、すなわち単価を表示するためのエリアである。プロセッサ１は、Ａｃｔ４で判定した商品コードに関連づけて商品データベースに含められている商品名及び単価をデータサーバ３０から取得し、これら表示エリアＡＲ１，ＡＲ２にそれぞれ表す。なお図５においては、商品名が「ポテトサラダ」であり、単価が１６０円である例を示している。
【００３６】
表示エリアＡＲ３は、計測重量を表示するためのエリアである。表示エリアＡＲ４は、秤皿７ａに乗せられている惣菜についての販売価格を表示するエリアである。プロセッサ１は、重量計７による計測重量と、［計測重量÷単位重量］として求まる値を上記の単価に乗じた金額とを、表示エリアＡＲ３，ＡＲ４にそれぞれ表す。なお図５においては、計測重量が８２ｇであり、販売価格が１３１円である例を示している。
【００３７】
表示エリアＡＲ５は、購買者に対する各種のメッセージを表示するためのエリアである。プロセッサ１は、第１の結果画面ＳＣ１の表示エリアＡＲ５には、多数の購買者に対する共通のメッセージを表示する。当該メッセージの内容は任意であってよく、計量装置１０の設計者又は管理者により定められたものとする。
ボタンＢＯ１は、ラベルの発行を購買者が指示するためのボタンである。
【００３８】
プロセッサ１は一方、適用条件のいずれか１つでも成立しないならばＡｃｔ１１にてＮｏと判定し、Ａｃｔ１３へと進む。またプロセッサ１は、記憶部２に過去摂取量が保存されていないならば、Ａｃｔ９にてＮｏと判定し、Ａｃｔ１３へと進む。
Ａｃｔ１３としてプロセッサ１は、第２の結果画面をタッチパネル３に表示させる。第２の結果画面は、計量の結果を表すとともに、購買者毎に提供する情報も表した画面である。
【００３９】
第２の結果画面は、第１の結果画面ＳＣ１と同様に、表示エリアＡＲ１−ＡＲ５及びボタンＢＯ１をそれぞれ含む。そしてプロセッサ１は、表示エリアＡＲ１−ＡＲ４については、第１の結果画面と同様な情報をそれぞれ表す。つまり、第２の結果画面が第１の結果画面ＳＣ１と異なるのは、表示エリアＡＲ５に表す情報である。プロセッサ１は、成立すると判定した適用条件に応じたメッセージを表示エリアＡＲ５に表す。
図６は第２の結果画面ＳＣ２の一例を示す図である。
【００４０】
プロセッサ１は図６の例においては、表示エリアＡＲ５に「注意！  ビタミンＣの摂取量が目標の７５％です。」というメッセージを表している。このメッセージは、「栄養素（ビタミンＣ）」の総摂取量が○○ｇ未満であり、「栄養素（ビタミンＣ）の今回摂取量が○○ｇ以上である。」なる適用条件が成立しない場合の一例である。さらにはこのメッセージは、栄養素（ビタミンＣ）の総摂取量が、適用条件中の「○○ｇ」の７５％である場合の一例である。
【００４１】
なお、プロセッサ１は、複数の適用条件が成立していないならば、それらの条件にそれぞれ応じたメッセージを表示エリアＡＲ５に表す。この場合にプロセッサ１は、複数のメッセージを表示エリアＡＲ５に順次に表すように第２の結果画面ＳＣ２を定期的に更新する。あるいはプロセッサ１は、複数のメッセージを表示エリアに並べて同時に表すのでもよい。
【００４２】
このように第２の結果画面ＳＣ２の表示に係る処理は、取得された摂取量及び判定された摂取量の合計と予め定められた基準量とが予め定められた関係にある場合に、その旨を購買者に通知するための通知処理の一例である。かくして情報処理プログラムに基づく情報処理をプロセッサ１が実行することによって、プロセッサ１を中枢部分とするコンピュータは上記の通知処理を行う通知処理手段として機能する。
【００４３】
プロセッサ１は、Ａｃｔ１２又はＡｃｔ１３を終えたならば、第１の結果画面又は第２の結果画面を表示させた状態で、Ａｃｔ１４へと進む。
Ａｃｔ１４としてプロセッサ１は、再計量が必要であるか否かを確認する。プロセッサ１は、例えば、秤皿７ａに乗せられている惣菜の量が変化せず、計測値が変化していなければＮｏと判定し、Ａｃｔ１５へと進む。なおプロセッサ１は、再計量を指示する操作が行われていない場合など、予め定められた別の判断によりＡｃｔ１４にてＮｏと判定してもよい。
Ａｃｔ１５としてプロセッサ１１は、ラベル発行の指示がなされたか否かを確認する。そしてプロセッサ１は、該当の指示がなされていないならばＮｏと判定し、Ａｃｔ１４へと戻る。
かくしてプロセッサ１はＡｃｔ１４及びＡｃｔ１５としては、再計量が必要となるか、ラベル発行の指示がなされるのを待ち受ける。
【００４４】
この待ち受け状態にあるときに購買者は、秤皿７ａに乗せられている惣菜を購入することを決定したならば、ラベルの発行を指示するための予め定められた操作を行う。当該操作は例えば、第１の結果画面ＳＣ１及び第２の結果画面ＳＣ２に表されたボタンＢＯ１へのタッチ操作である。そしてプロセッサ１は、該当の操作によりラベルの発行が指示されたならばＡｃｔ１５にてＹｅｓと判定し、Ａｃｔ１６へと進む。
【００４５】
Ａｃｔ１６としてプロセッサ１は、ラベルを発行するようにラベルプリンタ６に指示する。この指示に応じてラベルプリンタ６は、商品名、単価、計測重量及び販売価格などを表したラベルを発行する。当該ラベルは、発行口１００ｂを通して筐体１００の外部へと排出される。購買者は、当該ラベルと、秤皿７ａに乗せられている惣菜とをそれぞれ取り除き、惣菜を入れた容器にラベルを貼り付ける。
【００４６】
Ａｃｔ１７としてプロセッサ１は、計測値がゼロになるのを待ち受ける。上記のように秤皿７ａに乗せられている惣菜が購買者により取り去られると、やがて重量計７の計測値がゼロとなる。そしてプロセッサ１はこれに応じてＹｅｓと判定し、Ａｃｔ１８へと進む。
Ａｃｔ１８としてプロセッサ１は、購買者が会員であるか否かを確認する。プロセッサ１は例えば、記憶部２に会員コードが保存されているか否かを確認する。そしてプロセッサ１は、記憶部２に会員コードが保存されているならばＹｅｓと判定し、Ａｃｔ１９へと進む。
【００４７】
Ａｃｔ１９としてプロセッサ１は、会員データベースの更新をデータサーバ３０に要求する。プロセッサ１は具体的には、記憶部２に保存されている会員コードと、Ａｃｔ１０にて算出した総摂取量とを含んだ所定の要求データをデータサーバ３０に送る。この要求データを受けるとデータサーバ３０は、要求データに含まれた会員コードに関連づけられた過去摂取量を要求データに含まれた総摂取量に置き換えるように会員データベースを更新する。
【００４８】
プロセッサ１は、Ａｃｔ１９での要求を終えると、図３及び図４に示す情報処理を終了する。なおプロセッサ１は、購買者が会員ではないために記憶部２に会員コードが保存されていない場合は、Ａｃｔ１８にてＮｏと判定する。そしてプロセッサ１はこの場合には、Ａｃｔ１９を行うことなしに、図３及び図４に示す情報処理を終了する。
【００４９】
一方でプロセッサ１がＡｃｔ１４及びＡｃｔ１５の待ち受け状態にあるときに、購買者は秤皿７ａに乗せられている惣菜の量を増減するか、その購入を取り止めるべく惣菜を秤皿７ａから取り去ることもできる。そしてプロセッサ１は、これにより計測値が変化したならばＡｃｔ１４にてＹｅｓと判定し、Ａｃｔ２０へと進む。なおプロセッサ１は、再計量を指示する操作が行われた場合など、予め定められた別の判断によりＹｅｓと判定してもよい。
【００５０】
Ａｃｔ２０としてプロセッサ１は、Ａｃｔ８と同様にして計量が完了するのを待ち受ける。そしてプロセッサ１は、計量が完了したならばＹｅｓと判定し、Ａｃｔ２１へと進む。
Ａｃｔ２１としてプロセッサ１は、計測値がゼロであるか否かを確認する。購買者が秤皿７ａに乗せられている惣菜の量を増減した場合には、計測値はゼロにはならない。そしてプロセッサ１はこの場合にＮｏと判定し、Ａｃｔ９以降を前述と同様に繰り返す。
【００５１】
購買者が、秤皿７ａに乗せられている惣菜の購入を取り止めるべく惣菜を秤皿７ａから取り去った場合には、計測値がゼロとなる。そしてプロセッサ１はこの場合にはＡｃｔ２１にてＹｅｓと判定し、図３及び図４の情報処理を終了する。
【００５２】
なお、プロセッサ１は、図３及び図４の情報処理を終了したのちには、計測重量がゼロのままであることを確認して、記憶部２に保存された会員コード及び過去摂取量をクリアするなどの初期化を行うなどした上で、当該情報処理を再度開始する。
【００５３】
以上のように第１の実施の形態における計量装置１０によれば、第２の結果画面ＳＣ２の表示によって、計量対象となっている惣菜の摂取に関しての情報提供を、惣菜の購買者毎の目標摂取量を考慮して、つまり購買者の事情を考慮して行うことができる。
【００５４】
また第１の実施の形態における計量装置１０によれば、近接通信部５により会員カードから会員コードを読み取ることにより、当該会員コードで識別される会員として購買者を識別する。このため購買者は、会員カードを読み取らせるだけで、当該購買者の事情を考慮した情報提供を受けるための手続を終えることができる。
【００５５】
（第２の実施形態）
第２の実施の形態は、スーパーマーケット又は弁当販売店などにおいて、個々に量り売りされる飲食物を購買者が任意に組み合わせて作った弁当を販売する業態において好適な計量装置を例に説明する。
【００５６】
第２の実施の形態における計量装置は、第１の実施の形態における計量装置１０と同様な構成によって実現が可能である。このため、構成の説明は省略し、以下の説明においては、図１及び図２を参照して行うこととする。
【００５７】
第２の実施の形態における計量装置１０が第１の実施形態と異なる点は、図３及び図４に示した情報処理を表した情報処理プログラムに代えて、後述する情報処理を表した情報処理プログラムを記憶部２に記憶する点である。そしてプロセッサ１が、当該情報処理プログラムに基づいて、次のように情報処理を行う。
【００５８】
図７はプロセッサ１による情報処理の一部のフローチャートである。なお、図３及び図４に示されるのと同一の処理に関しては同一の符号を付している。また図７においては、図３及び図４に示されるのと同一の処理の一部の図示を省略している。
【００５９】
プロセッサ１は、第１の実施形態と同様に、図３に示されるＡｃｔ１−Ａｃｔ８としての処理を実行する。そしてプロセッサ１は、Ａｃｔ８にてＹｅｓと判定したならば、Ａｃｔ３１へと進む。
Ａｃｔ３１としてプロセッサ１は、Ａｃｔ７にて判定した商品コードで識別される商品についての商品重量を算出する。プロセッサ１は具体的には、Ａｃｔ８へと進んだ際の計測重量とは異なる計測値での安定をもってＡｃｔ８において計測完了と判定する。そしてプロセッサ１は、このように計測完了と判定した時の計測重量からＡｃｔ８へと進んだ際の計測重量を減じた重量を、商品重量として算出する。そしてプロセッサ１はこののち、Ａｃｔ９へと進む。そしてプロセッサ１は、Ａｃｔ９にてＹｅｓと判定したならば、Ａｃｔ３２へと進む。
【００６０】
Ａｃｔ３２としてプロセッサ１は、総摂取量を算出する。このＡｃｔ３２としての処理については後述する。プロセッサ１は、Ａｃｔ３２を終えるＡｃｔ１１と、Ａｃｔ１２又はＡｃｔ１３とを第１の実施形態と同様に実行する。そしてＡｃｔ１２又はＡｃｔ１３からＡｃｔ３３へと進む。
【００６１】
Ａｃｔ３３としてプロセッサ１は、図３中のＡｃｔ２と同様にして、商品の指定がなされたか否かを確認する。プロセッサ１は、商品の指定がなされていないためにＮｏと判定したならば、Ａｃｔ１４へと進む。プロセッサ１は、Ａｃｔ１４にてＮｏと判定したならばＡｃｔ１５へと進み、Ａｃｔ１５でもＮｏと判定したならばＡｃｔ３３へと戻る。かくしてプロセッサ１はＡｃｔ３３、Ａｃｔ１４及びＡｃｔ１５としては、商品の指定がなされるか、再計量が必要となるか、あるいはラベル発行の指示がなされるのを待ち受ける。そしてプロセッサ１は、再計量が必要となったためにＡｃｔ１４にてＹｅｓと判定した場合と、ラベル発行の指示がなされたためにＡｃｔ１５にてＹｅｓと判定した場合には、第１の実施形態と同様に以降の処理を実行する。
【００６２】
さて購買者は、例えば複数の惣菜を盛り付けることが可能な容器を秤皿７ａに乗せて、さらにこの容器に複数の惣菜を順次に乗せてゆく。そしてこの際に購買者は、次の惣菜を乗せるのに先立って、その商品の指定を行う。プロセッサ１は、このように２つめ以降の商品の指定がなされたならばＡｃｔ３３にてＹｅｓと判定し、Ａｃｔ３４へと進む。
【００６３】
Ａｃｔ３４としてプロセッサ１は、商品リストを更新する。商品リストは、商品コードに関連づけて、計測重量及び販売価格などを含んだデータレコードの集合である。商品リストは、図７に示す情報処理の開始時などにクリアされ、プロセッサ１がＡｃｔ３４を最初に実行する際にはデータレコードを含まない。プロセッサ１は、Ａｃｔ７で判定した商品コードに関連づけて、Ａｃｔ３１で算出した商品重量と、当該商品重量に関して第１又は第２の結果画面に表すために求めた販売価格とを含めたデータレコードを追加するように商品リストを更新する。つまりプロセッサ１は、重量を計測済みの飲食物のリストを、当該計測済みの重量を含んで生成する。かくして情報処理プログラムに基づく情報処理をプロセッサ１が実行することによって、プロセッサ１を中枢部分とするコンピュータは生成手段として機能する。
【００６４】
なおプロセッサ１は、Ａｃｔ７で商品コードを判定した際に、当該商品コードを含み、重量としての有意な値を含まないデータレコードを商品リストに追加しておいてもよい。そしてこの場合にプロセッサ１は、Ａｃｔ３４においては、Ａｃｔ３１で算出した商品重量を上記のデータレコードに追加する。
【００６５】
そしてプロセッサ１はこののち、Ａｃｔ７以降の処理を繰り返す。つまりプロセッサ１は、新たに指定された惣菜に関して、Ａｃｔ７−Ａｃｔ１３を実行する。なおプロセッサ１は、Ａｃｔ１２又はＡｃｔ１３においては、商品リストに示された複数の惣菜のそれぞれの販売価格の総和を、第１及び第２の結果画面に表すようにしてもよい。
【００６６】
さてプロセッサ１は、Ａｃｔ３２としての総摂取量の算出は、商品リストに示された惣菜の全てに関して行う。具体的にはプロセッサ１は、例えば「栄養素（ビタミンＣ）の目標摂取量は○○ｇ以上。」なる条件に関しては、Ａｃｔ１０と同様にして商品リストに含まれる商品コードで識別される惣菜毎に「栄養素（ビタミンＣ）」の摂取量を求める。そしてプロセッサ１は、それら惣菜毎の摂取量の総和を過去摂取量に加算して総摂取量を算出する。
【００６７】
以上のように第２の実施の形態における計量装置１０によれば、第１の実施の形態と同様な効果を達成できる。加えて、第２の実施の形態における計量装置１０によれば、容器に盛り付けられた複数の惣菜の組み合わせからなる弁当を摂取することによる各種成分及びカロリーの摂取量に関する情報提供を購買者毎の事情を考慮して行うことができる。
【００６８】
この実施形態は、次のような種々の変形実施が可能である。
プロセッサ１は、条件が成立する場合に、第２の結果画面を表示することとし、摂取量が規定量を超えることを購買者に通知するようにしてもよい。この場合の条件としては例えば、以下のようなものが適用できる。
・アレルゲン（××）の摂取量が○○ｇ以上。
・原材料（××）の摂取量が○○ｇ以上。
・摂取されるカロリーが○○ｋｃａｌ以上。
・栄養素（××）の摂取量が○○ｇ以上。
プロセッサ１は、Ａｃｔ１１にてＹｅｓと判定した場合に、目標達成の見返りとしての特典を購買者に与えるための予め定められた処理を行ってもよい。特典は、ポイント付与、クーポンの発行、商品代金の割引など、どのようなものであってもよい。
【００６９】
会員コードの取得方法は任意であってよい。例えば磁気カードなどのような別の記録媒体からの読み取り、バーコードなどを光学的に読み取り、あるいはタッチパネル３又はキーパッド４における手入力などを適用できる。
【００７０】
会員である購買者の識別は、会員コードに依存しなくてもよい。例えば、指紋などを用いた生体認証技術を適用できる。
【００７１】
ラベルの発行は行わなくてもよい。例えば、金銭収受装置、電子マネー決済端末、あるいはクレジット決済端末などを内蔵又は外付けしておき、計測重量に応じた販売価格を決済するようにしてもよい。また、販売価格を、商品コードなどとともにＰＯＳ端末又はキャッシュレジスタなどのような買上登録の機能を持った装置に通知するようにしてもよい。
【００７２】
情報提供のための画面表示は、購買者が所持している携帯情報端末にて行わせてもよい。この場合にプロセッサ１は例えば、通信ネットワーク２０を介した通信、あるいは無線ＬＡＮなどを用いた直接無線通信などを利用して携帯情報端末に情報を送信すればよい。つまり通知処理は、他の情報端末への情報の送信であってもよい。
【００７３】
画面表示に変えて、あるいは画面表示に加えて、内蔵又は外付けしたスピーカからの音声メッセージの出力などによる情報提供を行うようにしてもよい。この場合、音声メッセージの出力のためのスピーカの駆動が通知処理となる。
【００７４】
量り売りの対象となるものであれば、惣菜以外の飲食物の計量のための計量装置としても実現可能である。
【００７５】
商品データベース及び会員データベースの少なくとも一方を記憶部２に記憶させておき、プロセッサ１は記憶部２に記憶された商品データベース及び会員データベースを参照してもよい。
【００７６】
情報処理によりプロセッサ１が実現する各機能は、その一部または全てをロジック回路などのようなプログラムに基づかない情報処理を実行するハードウェアにより実現することも可能である。また上記の各機能のそれぞれは、上記のロジック回路などのハードウェアにソフトウェア制御を組み合わせて実現することも可能である。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
１…プロセッサ、２…記憶部、３…タッチパネル、４…キーパッド、５…近接通信部、６…ラベルプリンタ、７…重量計、８…通信インタフェース、９…伝送路、１０…計量装置、１１…プロセッサ、２０…通信ネットワーク、３０…データサーバ。
【図１】
2019219322.tif 000003
【図２】
2019219322.tif 000004
【図３】
2019219322.tif 000005
【図４】
2019219322.tif 000006
【図５】
2019219322.tif 000007
【図６】
2019219322.tif 000008
【図７】
2019219322.tif 000009